(57)【要約】  【課題】  シャワホルダのデザイン性を損なうことのないシャワヘッド支持機構を提供すること。  【解決手段】  シャワ受け１は、シャワヘッド５を保持するための差し込み保持部８と、シャワ受け１の軸芯まわりの回転を防止する機能を備えたシャワ受け回転防止部分１１と、シャワ受け１がシャワホルダ６から抜けるのを防止する機能を備えたシャワ受け抜止部分１２と、シャワホルダ６の出口端面６ａに係止される外向きフランジ１０とを含み、  前記シャワ受け回転防止部分１１は、下方に開口する水抜き穴１３を挿通穴７に連通する形で有し、前記シャワ受け抜止部分１２は、シャワ受け抜け止め用の係合爪１４を下部に有する一方、シャワホルダ６は、シャワホルダ６内にシャワ受け１を取り付けた状態において、前記係合爪１４に対応する下部の位置に設けられ、それによって、前記係合爪１４に係合されるとともに、前記水抜き穴１３に連通して水抜き流路ｉを形成する係合孔１５を有している。【選択図】          図３
2008115686.tif 000002
【特許請求の範囲】
【請求項１】
水栓にホースを介して接続されたシャワヘッドを、水栓側のシャワホルダからホースと共に引出し可能に支持するとともに、前記ホースが挿通される挿通穴を有するシャワ受けと、
ホースが接続された状態で前記シャワ受けが差し込まれるシャワヘッドの基部とを備えたシャワヘッド支持機構において、
前記シャワ受けには、シャワヘッドの基部に差し込んだ状態でシャワヘッドを保持するための差し込み保持部、および、シャワホルダに取り付けられる取付部とが、シャワホルダの出口端面に係止される外向きフランジの下流側および上流側に設けられており、
前記取付部は、前記外向きフランジに隣接する状態で設けられ、シャワ受けの軸芯まわりの回転を防止する機能を備えたシャワ受け回転防止部分と、シャワ受けがシャワホルダから抜けるのを防止する機能を備えたシャワ受け抜止部分とを含み、
前記シャワ受け回転防止部分は、下方に開口する水抜き穴を前記挿通穴に連通する形で有し、
前記シャワ受け抜止部分は、シャワ受け抜け止め用の係合爪を下部に有する一方、シャワホルダは、シャワホルダ内にシャワ受けを取り付けた状態において、前記係合爪に対応する下部の位置に設けられ、それによって、前記係合爪に係合されるとともに、前記水抜き穴に連通して水抜き流路を形成する係合孔を有することを特徴とするシャワヘッド支持機構。
【請求項２】
前記差し込み保持部は、当該差し込み保持部に保持された状態でのシャワヘッドのガタツキを防止するためシャワヘッドの基部の内周面に設けたセレーションに噛合するセレーションを外周面の一部に有し、また、前記シャワヘッドの基部および差し込み保持部は、シャワヘッドをシャワ受けに対し所定位置に位置決めしうるための位置決め手段を有する請求項１に記載のシャワヘッド支持機構。
【請求項３】
前記回転防止部分は、シャワ受けの軸芯まわりの回転を防止するためシャワホルダの内周面においてシャワホルダ軸芯方向に沿って形成された左右一対の嵌合溝に嵌合する嵌合突起を有し、また、前記シャワ受け抜止部分は、シャワホルダの内周面との間に位置して水密的にシールするシール部材が装着される環状溝を、前記係合爪の上流側に形成された一対の外向きフランジ間に有する請求項１または請求項２に記載のシャワヘッド支持機構。
【請求項４】
シャワヘッドをシャワ受けに対し所定位置に位置決めしうるための位置決め手段は、前記差し込み保持部の外周面の接触面と、前記シャワヘッドの基部の内周面の接触面とに設けた縦断面歯車形状の複数の凹凸片で構成されている請求項１ないし請求項３のいずれかに記載のシャワヘッド支持機構。
【請求項５】
シャワヘッドをシャワ受けに対し所定位置に位置決めしうるための前記位置決め手段は、前記差し込み保持部の外周面の接触面と、前記シャワヘッドの基部の内周面の接触面とに設けた縦断面歯車形状の複数の凹凸部で構成されている請求項１ないし請求項４のいずれかに記載のシャワヘッド支持機構。
【請求項６】
シャワヘッドをシャワ受けに対し所定位置に位置決めしうるための前記位置決め手段は、前記差し込み保持部の外周面の接触面に設けた縦断面歯車形状の単一の凸部と、前記シャワヘッドの基部の内周面の接触面に設けた、隣接する二つの縦断面歯車形状の凸部間に形成される凹部とで構成されている請求項１ないし請求項４のいずれかに記載のシャワヘッド支持機構。
【請求項７】
前記ホースは可撓性を有し、螺旋形状を持つステンレス鋼帯の内面に合成樹脂製部材を固着してなるラセンホースであり、また、シャワ受けの前記差し込み保持部の内径よりも前記シャワ受け抜止部分の内径が小さく設定されており、小さく設定された前記シャワ受け抜止部分の内径は、前記ホースの最大外径に設定されており、また、シャワ受けの出口端部である前記差し込み保持部の下流端部における内周面が上流にいくほど先細りの環状のテーパ面に形成されており、かつ、シャワ受けの入口端部である前記シャワ受け抜止部分の上流端部における内周面が上流にいくほど先太りの環状のテーパ面に形成されている請求項１ないし請求項６のいずれかに記載のシャワヘッド支持機構。
【請求項８】
シャワ受けにおける外向きフランジよりもシャワヘッド側の外周面と、シャワヘッドの基部におけるシャワ受けの前記外周面に対応する部分とには、係脱自在な凹凸係合を有するクリック機構が設けられている請求項１ないし請求項７のいずれかに記載のシャワヘッド支持機構。
【請求項９】
クリック機構は、
シャワ受けの外向きフランジの下流側に設けられた差し込み保持部の外周面で、差し込み保持部の外周面に設けたセレーションと外向きフランジとの間に形成された凹部と、
シャワヘッドの基部の上流側に形成された保持孔と、
この保持孔にシャワヘッドの基部の外側から挿入され、先端にシャワヘッドの基部の内側に突出した状態でシャワ受けの前記凹部に係合する突部を有し、後端に前記突部から連設されて保持孔内に係合保持されうる保持部を有する爪と、
この爪を前記突部を介して前記凹部に付勢するよう設けられ、この状態で差し込み保持部をシャワヘッドの基部に差し込みながら爪の前記突部が前記凹部に係合してシャワ受けのシャワヘッドへの差し込み状態を確認させうる止め輪とを含む請求項８に記載のシャワヘッド支持機構。
【請求項１０】
前記凹部は差し込み保持部の外周面上に環状に形成されている一方、前記止め輪はＣリング等の径方向に弾性変形可能な割りリング体であり、また、前記爪が保持孔に挿入された状態ではシャワヘッドの基部の外周面と爪の保持部の最外周面とが面一となるよう構成されている請求項８または請求項９に記載のシャワヘッド支持機構。
【請求項１１】
シャワヘッドの基部は、止め輪が嵌込み可能に形成された溝を保持孔に連通するよう外周面に有するとともに、爪は、保持孔に挿入された状態で止め輪が嵌込み可能に形成された溝を保持部の外周面に有し、さらに、両溝に嵌込まれた止め輪がシャワヘッドの基部の外周面および爪の保持部の最外周面と面一になるよう構成されている請求項８ないし請求項１０のいずれかに記載のシャワヘッド支持機構。
【請求項１２】
シャワ受けの出口端部である前記差し込み保持部の下流端部における外周面が上流にいくほど先細りの環状のテーパ面に形成されている請求項１ないし請求項１１のいずれかに記載のシャワヘッド支持機構。
【発明の詳細な説明】
【技術分野】
【０００１】
この発明は、水栓にホースを介して接続されたシャワヘッドを、水栓側のシャワホルダからホースと共に引出し可能に支持するとともに、前記ホースが挿通される挿通穴を有するシャワ受けを備えたシャワヘッド支持機構に関するものである。
【背景技術】
【０００２】
従来この種のシャワヘッド支持構造として、下記特許文献１に示すものがある。
【０００３】
【特許文献１】特開２００４−７３９５８号公報
【０００４】
上記特許文献１のものは、例えば洗面化粧台の洗面器に設置され、洗顔や洗髪等に用いるシャワヘッドを、メッキ処理を行わない通水流路を有するものに構成することによってメッキ液のＮｉ等の成分が溶出するのを防止するようにしたものである。
【発明の開示】
【発明が解決しようとする課題】
【０００５】
しかし、記載されているシャワ受けは、リング体を介してシャワホルダに嵌め込まれとともに、シャワホルダの下部側からビス止めされている。
また、シャワヘッドをシャワホルダに対し引出し可能になっているので、シャワヘッドから吐出された湯水は、その一部がシャワヘッドの基部を伝わってシャワホルダ内に流入し、洗面化粧台のキャビネット内に溢れ出る事態を防止するため、シャワホルダの下部に水抜き穴を設ける必要がある。  
そのため、シャワホルダの外から、ビスおよび水抜き穴が見えることになり、見栄えがよく、デザイン性に優れているとは必ずしもいえなかった。  
【０００６】
この発明は、上述の事柄に留意してなされたもので、その目的は、シャワホルダのデザイン性を損なうことのないシャワヘッド支持機構を提供することである。
【課題を解決するための手段】
【０００７】
上記目的を達成するために、この発明のシャワヘッド支持機構は、水栓にホースを介して接続されたシャワヘッドを、水栓側のシャワホルダからホースと共に引出し可能に支持するとともに、前記ホースが挿通される挿通穴を有するシャワ受けと、
ホースが接続された状態で前記シャワ受けが差し込まれるシャワヘッドの基部とを備えたシャワヘッド支持機構において、
前記シャワ受けには、シャワヘッドの基部に差し込んだ状態でシャワヘッドを保持するための差し込み保持部、および、シャワホルダに取り付けられる取付部とが、シャワホルダの出口端面に係止される外向きフランジの下流側および上流側に設けられており、
前記取付部は、前記外向きフランジに隣接する状態で設けられ、シャワ受けの軸芯まわりの回転を防止する機能を備えたシャワ受け回転防止部分と、シャワ受けがシャワホルダから抜けるのを防止する機能を備えたシャワ受け抜止部分とを含み、
前記シャワ受け回転防止部分は、下方に開口する水抜き穴を前記挿通穴に連通する形で有し、
前記シャワ受け抜止部分は、シャワ受け抜け止め用の係合爪を下部に有する一方、シャワホルダは、シャワホルダ内にシャワ受けを取り付けた状態において、前記係合爪に対応する下部の位置に設けられ、それによって、前記係合爪に係合されるとともに、前記水抜き穴に連通して水抜き流路を形成する係合孔を有することを特徴としている（請求項１）。
【発明の効果】
【０００８】
本願の請求項１に係る発明では、シャワホルダの下部に設けた単一の係合孔に、シャワ受けに設けた係合爪を係合させるようにしてシャワ受けがシャワホルダから抜けるのを防止するとともに、シャワ受け回転防止部分を設け、このシャワ受け回転防止部分に、下方に開口する水抜き穴を設け、前記係合孔に前記水抜き穴を連通させるよう構成したので、シャワホルダへのシャワ受け取り付け機能と水抜き孔とを前記係合孔に兼用させることができ、結果として、シャワホルダには、外から見える孔は前記係合孔の一つだけにでき、シャワホルダのデザイン性を損なうことのないシャワヘッド支持機構を提供することができる。
また、本願の請求項１に係る発明では、シャワホルダへのシャワ受け取り付け機能を有する前記係合孔に水抜き孔を兼用させており、従来用いたビスを不要にできることから、部品点数を削減できて製造コストを低減させることができる。
また、本願の請求項８に係る発明では、クリック機構を設けたので、使用者はシャワヘッドへのシャワ受け差し込み完了動作を音によって確認できる。すなわち、シャワ受けをシャワヘッドに差し込んだときの凹凸係合によって、かちっという音が鳴ることで、使用者は、このクリック感により確実にシャワヘッドにシャワ受けが差し込まれていることが判る。
また、本願の請求項２に係る発明では、シャワ受けの差し込み保持部は、当該差し込み保持部に保持された状態でのシャワヘッドのぐら付きを防止するためシャワヘッドの基部の内周面に設けたセレーションに噛合するセレーションを外周面の一部に有している。そして、シャワヘッドが差し込み保持部に保持されている状態では、両セレーションの噛合に加えて、本願の請求項８に係る発明に記載されたクリック機構による前記凹凸係合が加わるので、前記凹凸係合が加わった分シャワ受けに保持されているシャワヘッドのぐら付きの防止効果を高めることができる。すなわち、両セレーションの噛合とクリック機構による前記凹凸係合の相乗効果により、シャワ受けに保持されているシャワヘッドのぐら付きを確実に防止できる。
【発明を実施するための最良の形態】
【０００９】
以下、この発明の実施の形態を、図を参照しながら説明する。なお、それによってこの発明は限定されるものではない。
【００１０】
図１〜図７は、この発明の一つの実施の形態を示す。
図１〜図７において、１は、合成樹脂製のシャワ受けである。シャワ受け１は、例えば洗面化粧台の洗面器に設けたシングルレバー２を備えた湯水混合水栓３に、ホース４を介して接続されたシャワヘッド５を、水栓３側のシャワホルダ６からホース４と共に引出し可能に支持するとともに、前記ホース４が挿通される挿通穴７を有している。この実施の形態では、水栓本体３ａとシャワホルダ６は鋳物で一体成形されている。
また、シャワヘッド５は、ホース４の最下流端部４ｄが接続部材（図示せず）によって接続された状態で前記シャワ受け１が差し込まれる基部（インナー部材）５ａをアウター部材５ｂと共に有している。アウター部材５ｂは合成樹脂（ＡＢＳ樹脂）で成形されている。アウター部材５ｂはシャワヘッド本体５ｄを含んでおりり、表面にメッキ処理が施されている。図１における符号５ｅは、直放水吐出口５ｆを中央に有し、この吐出口５ｆのまわりに形成された複数のシャワ吐出口を有するシャワ板である。
前記ホース４は可撓性を有し、螺旋形状を持つステンレス鋼帯４ａの内面に合成樹脂製部材４ｂを固着してなるラセンホースである。
前記シャワ受け１には、これをシャワヘッド５の基部５ａに差し込んだ状態でシャワヘッド５を保持するための差し込み保持部８、および、シャワホルダ６に取り付けられる取付部９とが、シャワホルダ６の出口端面６ａに係止される外向きフランジ１０の下流側および上流側に設けられている。
前記取付部９は、前記外向きフランジ１０に隣接する状態で設けられ、シャワ受け５の軸芯まわりの回転を防止する機能を備えたシャワ受け回転防止部分１１と、シャワ受け１がシャワホルダ６から抜けるのを防止する機能を備えたシャワ受け抜止部分１２とを含んでいる。
前記シャワ受け回転防止部分１１は、下方に開口する広口の水抜き穴１３を前記挿通穴７に連通する形で有している。
前記シャワ受け抜止部分１２は、シャワ受け抜け止め用の係合爪１４を下部に有する。  シャワホルダ６は、シャワホルダ６内にシャワ受け１を取り付けた状態において、前記係合爪１４に対応する下部の位置に設けられ、それによって、前記係合爪１４に係合されるとともに、前記水抜き穴１３に連通して水抜き流路ｉを形成する単一の係合孔１５を有する。
さらに、前記差し込み保持部８は、当該差し込み保持部８に保持された状態でのシャワヘッド５のガタツキを防止するためシャワヘッド５の基部５ａの内周面ｍに設けたセレーション１６に噛合するセレーション１７を外周面ｎの一部に有する。
【００１１】
また、前記シャワヘッド５の基部５ａおよび差し込み保持部８は、シャワヘッド５をシャワ受け１に対し所定位置に位置決めしうるための位置決め手段を有しており、この位置決め手段は、この実施の形態では、前記差し込み保持部８の外周面の接触面８ａと、前記シャワヘッド５の基部５ａの内周面の接触面５ａ’とに設けた縦断面歯車形状の複数の凹凸部２０，２１、２２，２３（図５、図７参照）で構成されている。すなわち、図７に示した基部５ａにおいては、例えば５個の凹部２２が、円周方向に沿う形で、例えば３０°の円周角の間隔でもって、かつ、凹部２２それぞれが基部５ａの軸芯方向に所定の長さＬを有して、接触面５ａ’に形成されるとともに、凹部２２，２２間に形成された計４個の凸部２３が、例えば３０°の円周角の間隔でもって、かつ、凸部２３それぞれが基部５ａの軸芯方向に凹部２２の長さＬと略同じ長さを有して形成されている。
一方、差し込み保持部８においては、例えば２個の凹部２０（図４参照）が、円周方向に沿う形で、例えば３０°の円周角の間隔でもって、かつ、凹部２０それぞれが差し込み保持部８の軸芯方向に前記凹部２２の長さＬと略同じ長さを有して、接触面８ａに形成されるとともに、凹部２０を形成する３個の凸部２１は、３０°の円周角の間隔でもって、かつ、凸部２１それぞれが差し込み保持部８の軸芯方向に凸部２３の長さと略同じ長さを有して形成されている。そして、この実施の形態では、前記凸部２３および２１は縦断面略台形形状をなす。
したがって、シャワヘッド５の基部５ａが差し込み保持部８に差し込まれたときにシャワヘッドをシャワ受け１に対し所定位置に位置決め可能なパターンとして、シャワヘッド５を正面からみてシャワ板５ｅが図２に示すような水平になる状態と、正面からみてシャワ板３０が右側に３０°傾斜する状態と、正面からみてシャワ板５ｅが左側に３０°傾斜する状態とに使い分けることができる。そのため、洗髪のときには左右どちらかにシャワヘッド５を傾けて使用することにより、シャワヘッド５に頭が干渉しない点で有利である。なお、シャワ板５ｅの傾斜角度は、左右３０°に限定するものではなく、適宜設定できる。
また、別のパターンとして、シャワヘッド５を正面からみてシャワ板５ｅが図２に示すような水平になる状態だけのものでもよい。この場合を、図８，９に示す。図８，９において、シャワヘッド５をシャワ受け１に対し所定位置に位置決めしうるための位置決め手段は、前記差し込み保持部８の外周面の接触面に設けた縦断面略台形形状の単一の凸部２５（図８参照）と、前記シャワヘッド５の基部５ａの内周面の接触面に設けた、隣接する二つの縦断面略台形形状の凸部２６，２６間に形成される凹部２７とで構成されている。  そして、図８で示した場合も、また、図５で示した実施の形態の場合も、差し込み保持部８の凹凸部２０，２１、２２，２３や、凸部２５が上側に位置するよう、かつ、セレーション１７が下側（水抜き穴１３および係合爪１４が位置する側）に位置するようにシャワ受け１はシャワホルダ６に取り付けられる。
【００１２】
また、前記回転防止部分１１は、シャワ受け１の軸芯まわりの回転を防止するためシャワホルダ６の内周面においてシャワホルダ軸芯方向に沿って形成された左右一対で長さｈの嵌合溝３１に嵌合する長さＨ（ｈ＞Ｈ）の嵌合突起３２，３２を有する。
また、前記シャワ受け抜止部分１２は、シャワホルダ６の内周面との間に位置して水密的にシールするシール部材（例えばＯリング）３４が装着される環状溝３３を、前記係合爪１４の上流側に形成された一対の外向きフランジ３５，３６間に有する。
なお、図４における４０は、外向きフランジ３５と回転防止部分１１を繋ぐためシャワ受け抜止部分１２の外周面に形成された補強リブである。
【００１３】
また、図５（Ａ）に示すように、シャワ受け１の前記差し込み保持部８の内径Ｒよりも前記シャワ受け抜止部分１２の内径ｒが小さく設定されており、小さく設定された前記シャワ受け抜止部分１２の内径ｒは、前記ホース４の最大外径に設定されている。そして、たとえ、差し込み保持部８側から湯水が進入してきても、シャワ受け抜止部分１２における挿通穴７で湯水の進入を阻止するため、前記ホース４の最大外径の公差と、前記シャワ受け抜止部分１２の内径ｒの公差が考慮されている。
【００１４】
また、図５（Ａ）に示すように、シャワ受け１の出口端部である前記差し込み保持部８の下流端部における内周面Ｍが上流にいくほど先細りの環状のテーパ面に形成されており、かつ、シャワ受け１の入口端部である前記シャワ受け抜止部分１２の上流端部における内周面Ｎが上流にいくほど先太りの環状のテーパ面に形成されている。そのため、前記のテーパ面Ｍ，Ｎが備わっていない場合に比べて、ホース４の収納性能ならびに引出し性能を向上できる。
【００１５】
さらに、図１，３，４および図５（Ａ），図５（Ｂ），図５（Ｅ）に示すように、シャワ受け１の出口端部である前記差し込み保持部８の下流端部における外周面Ｐが上流にいくほど先細りの環状のテーパ面に形成されている。そのため、シャワ受け１をシャワヘッド５の基部５ａにスムーズに差し込みことができる。前記のテーパ面９が備わっていない場合に比べて、シャワヘッド５のシャワ受け１への挿入（収納）性能を向上できる。
【００１６】
図１０〜図１８は、シャワ受け１の外向きフランジ１０のシャワヘッド５側に環状の凹部５０を設けるとともに、シャワ受け１が差し込まれるシャワヘッド５の基部（インナー部材）５ａに、一対の合成樹脂（ＰＯＭ樹脂）製の爪５１，５１と、一対の爪用保持孔５２，５２と、この保持孔５２に挿入された爪５１の突部５３を前記凹部５０に付勢する金属製の止め輪５４を設け、これらの部材を含むクリック機構により、シャワヘッド５の基部５ａを介してシャワ受け１をシャワヘッド５に差し込んだときにクリック音が鳴るように構成したこの発明の他の実施の形態を示す。なお、図１０〜図１８において、図１〜図９に示した符号と同一のものは同一または相当物である。
【００１７】
図１０〜図１８において、シャワヘッド支持機構は、シングルレバー式の湯水混合水栓３にホース４を介して接続されたシャワヘッド５を、水栓側のシャワホルダ６からホース４と共に引出し可能に支持するとともに、前記ホース４が挿通される挿通穴７を有する合成樹脂製シャワ受け１と、
ホース４が接続された状態で前記シャワ受け１が差し込まれるシャワヘッドの筒状の基部５ａとを主として備えており、
前記シャワ受け１には、シャワヘッドの基部５ａに差し込まれた状態でシャワヘッド５を保持するための差し込み保持部８、および、シャワホルダ６に取り付けられる取付部９とが、シャワホルダ６の出口端面６ａに係止される外向きフランジ１０の下流側および上流側に設けられており、
前記取付部９は、前記外向きフランジ１０に隣接する状態で設けられ、シャワ受け１の軸芯まわりの回転を防止する機能を備えたシャワ受け回転防止部分１１と、シャワ受け１がシャワホルダ６から抜けるのを防止する機能を備えたシャワ受け抜止部分１２とを含み、
前記シャワ受け回転防止部分１１は、下方に開口する水抜き穴１３を前記挿通穴７に連通する形で有し、
前記シャワ受け抜止部分１２は、シャワ受け抜け止め用の係合爪１４を下部に有する一方、シャワホルダ６は、シャワホルダ６内にシャワ受け１を取り付けた状態において、前記係合爪１４に対応する下部の位置に設けられ、それによって、前記係合爪１４に係合されるとともに、前記水抜き穴１３に連通して水抜き流路ｉを形成する係合孔１５を有している。シャワヘッドの基部５ａは合成樹脂製である。
【００１８】
そして、シャワヘッド支持機構には、シャワ受け１における外向きフランジ１０よりもシャワヘッド側の外周面５５と、シャワヘッドの基部５ａにおけるシャワ受け１の前記外周面５５に対応する部分とには、係脱自在な凹凸係合を有するクリック機構が設けられている。
さらに、前記クリック機構は、
シャワ受け１の外向きフランジ１０の下流側に設けられた差し込み保持部８の外周面ｎで、差し込み保持部８の外周面ｎに設けたセレーション１７と外向きフランジ１０との間に形成された前記凹部５５と、
シャワヘッドの基部５ａの上流側に形成された前記一対の保持孔５２，５２と、
この保持孔５２にシャワヘッドの基部５ａの外側から挿入され、先端にシャワヘッドの基部５ａの内側に突出した状態でシャワ受け１の前記凹部５０に係合する前記突部５３を有し、後端に前記突部５３から連設されて保持孔５２内に係合保持されうる保持部５７を有する前記爪５１と、
この爪５１を前記突部５３を介して前記凹部５０に付勢するよう設けられ、この状態で差し込み保持部８をシャワヘッドの基部５ａに差し込みながら爪５１の前記突部５３が前記凹部５０に係合してシャワ受け１のシャワヘッド５への差し込み状態を確認させうる前記止め輪５４とを含んでいる。保持孔５２，５２は円周角で１８０°の間隔を有して設けられている。
【００１９】
前記凹部５０は差し込み保持部８の外周面ｎ上に環状に形成されている一方、前記止め輪５４は径方向に弾性変形可能なＣリングであり、また、前記爪５１が保持孔５２に挿入された状態ではシャワヘッドの基部５ａの外周面Ｒと爪５１の保持部５７の最外周面ｔとが面一となるよう構成されている。
また、シャワヘッドの基部５ａは、Ｃリング５４が嵌込み可能に形成された溝６０を保持孔５２，５２に連通するよう外周面Ｒに有する（図１５参照）とともに、爪５１は、保持孔５２に挿入された状態でＣリング５４が嵌込み可能に形成された溝６１を保持部５７の外周面に有し、さらに、両溝６０，６１に嵌込まれたＣリング５４がシャワヘッドの基部５ａの外周面Ｒおよび爪５１の保持部５７の最外周面ｔと面一になるよう構成されている。
また、シャワ受け１の出口端部である前記差し込み保持部８の下流端部における外周面Ｐが上流にいくほど先細りの環状のテーパ面に形成されている。そのため、シャワ受け１をシャワヘッド５の基部５ａにスムーズに差し込みことができ、前記テーパ面Ｐ９が備わっていない場合に比べて、シャワヘッド５のシャワ受け１への挿入（収納）性能を向上できる。
【００２０】
また、この実施の形態では、シャワヘッド５を正面からみてシャワ板５ｅが図１０に示すような水平になる状態に設定されている。図１３、図１５（Ｄ）において、シャワヘッド５をシャワ受け１に対し所定位置に位置決めしうるための位置決め手段は、前記差し込み保持部８の外周面に設けた縦断面略台形形状の単一の線状凸部２５と、前記シャワヘッド５の基部５ａの内周面に設けた、隣接する二つの縦断面略台形形状の凸部２６，２６間に形成される凹部２７とで構成されている。
【００２１】
而して、シャワヘッド５の基部５ａを介してシャワヘッド５がシャワ受け１に差し込まれたときに音が鳴るように構成したので、確実にシャワヘッド５がシャワ受け１に差し込まれていることが判明する。すなわち、図１８（Ａ）に示す状態から、差し込み保持部８をシャワヘッドの基部５ａに差し込む。この差し込み初期においては、差し込み保持部８によって、爪５１の突部５３を外側に押し上げる。この状態で差し込み保持部８が差し込み方向に移動していくと、差し込み保持部８による突部５３の押し上げ力が解除されて爪５１の前記突部５３が前記凹部５０に係合する〔図１８（Ｂ）参照〕。そして、突部５３が凹部５０に係合するときに突部５３が凹部５０に当たることにより音が鳴る。そのため、音が鳴ることで、シャワ受け１のシャワヘッド５への差し込み状態を確認できる。
また、シャワ受け１の差し込み保持部８は、当該差し込み保持部８に保持された状態でのシャワヘッド５のぐら付きを防止するためシャワヘッドの基部５ａの内周面に設けたセレーション１６に噛合するセレーション１７を外周面ｎの一部に有している。そして、シャワヘッド５が差し込み保持部８に保持されている状態では、両セレーション１６，１７の噛合に加えて、クリック機構による前記凹凸係合が加わるので、前記凹凸係合が加わった分シャワ受け１に保持されているシャワヘッド５のぐら付きの防止効果を高めることができる。すなわち、両セレーション１６，１７の噛合とクリック機構による前記凹凸係合の相乗効果により、シャワ受け１に保持されているシャワヘッド５のぐら付きを確実に防止できる。
【００２２】
この実施の形態では、爪５１の突部５３を凹部５０に付勢する部材として、止め輪５４を用いている。止め輪５４を用いる代わりに、板バネを用いることも考えられる。例えば、凹部５０に係合する突部５３を中央に有して両端が折り曲げられてなる板バネを考えた場合、その板バネの固定手法として、シャワヘッドの基部（インナー部材）５ａに受溝を形成し、この受溝内に板バネの両端を係合固定することが考えられる。そのように構成した場合、受溝形成のために基部５ａの厚みを止め輪５４を用いる場合よりも厚くする必要があり、そのために、インナー部材５ａの外径を大きくしなければならない。よって、スペース的に問題である。この場合、シャワヘッドのグリップ部５ｂ（図１参照）の大きさを維持できるのか否かが課題としてあがる。維持できるにしても、板バネはＣリング等の止め輪５４に比べて耐久性に劣る。このような理由により、本発明者らはインナー部材５ａの外径を変更する必要はなく、かつ、耐久性がある止め輪を採用したのである。
【００２３】
また、この実施の形態では、保持孔５２を二つ設けたものを示したが、この発明はこれに限定されるものではなく、単一の保持孔でもよく、すなわち、一つの爪を用いてもよく、また、設計可能な範囲で三つ以上の保持孔を設け、三つ以上の爪を用いてもよい。
【図面の簡単な説明】
【００２４】
【図１】この発明の一つの実施の形態において、シャワヘッドを、水栓側のシャワホルダからホースと共に引出した状態を示す構成説明図である。
【図２】上記実施の形態において、シャワヘッドをシャワホルダに保持させている状態を示す構成説明図である。
【図３】上記実施の形態において、シャワヘッドの基部、シャワ受けおよびシャワホルダの組付け前の状態を示す斜視図である。
【図４】上記実施の形態で用いたシャワ受けを、シャワヘッドをシャワ受けに対し所定位置に位置決めしうるための位置決め手段の位置する側からみた斜視図である。
【図５】（Ａ）は、上記実施の形態で用いたシャワ受けを示す断面図である。（Ｂ）は、上記実施の形態で用いたシャワ受けをセレーションの側からみた側面図である。（Ｃ）は、図５（Ａ）におけるｃ−ｃ線断面図である。（Ｄ）は、図５（Ａ）におけるｄ−ｄ線断面図である。（Ｅ）は、上記実施の形態で用いたシャワ受けを位置決め手段とセレーションの境界位置からみた斜視図である。（Ｆ）は、上記実施の形態で用いたシャワ受けの位置決め手段の凹凸状態とセレーションの鋸歯状形状を示す図である。
【図６】（Ａ）は、上記実施の形態で用いたシャワホルダおよび水栓本体を示す正面図である。（Ｂ）は、上記実施の形態で用いたシャワホルダを示す図である。（Ｃ）は、上記実施の形態で用いたシャワホルダを示す上面図である。（Ｄ）は、上記実施の形態で用いたシャワホルダおよび水栓本体を示す縦断面図である。（Ｅ）は、上記実施の形態で用いたシャワホルダを示す下面図である。
【図７】（Ａ）は、上記実施の形態で用いたシャワヘッドの基部の内周面を示す斜視図である。（Ｂ）は、上記実施の形態で用いたシャワヘッドの基部の内周面の凹凸状態とセレーションの鋸歯状形状を示す図である。
【図８】（Ａ）は、上記実施の形態の別の例を示すシャワ受けの斜視図である。（Ｂ）は、前記別の例のシャワ受けの位置決め手段の凸状態とセレーションの鋸歯状形状を示す図である。
【図９】（Ａ）は、上記実施の形態の別の例を示すシャワヘッドの基部の内周面の凹凸状態とセレーションの鋸歯状形状を示す図である。（Ｂ）は、上記実施の形態で用いたシャワヘッドの基部の内周面を示す斜視図である。
【図１０】この発明の他の実施の形態において、シャワヘッドをシャワホルダに保持させている状態を示す構成説明図である。
【図１１】上記他の実施の形態において、シャワヘッドの基部およびシャワ受けの組付け前の状態を示す斜視図である。
【図１２】上記他の実施の形態において、シャワヘッドの基部およびシャワ受けの組付け前の状態を示す構成説明図である。
【図１３】（Ａ）は、上記他の実施の形態で用いたシャワ受けの位置決め手段の凹凸状態とセレーションの鋸歯状形状を示す図である。Ｂ）は、上記他の実施の形態で用いたシャワ受けの位置決め手段の凹凸状態とセレーションの鋸歯状形状を説明するための図である。
【図１４】（Ａ）は、上記他の実施の形態で用いたシャワヘッドの基部を上流側からみた斜視図である。（Ｂ）は、上記他の実施の形態で用いたシャワヘッドの基部を示す斜視図である。
【図１５】（Ａ）は、上記他の実施の形態で用いたシャワヘッドの基部を示す上面図である。（Ｂ）は、上記他の実施の形態で用いたシャワヘッドの基部を示す側面図である。（Ｃ）は、上記他の実施の形態で用いたシャワヘッドの基部を示す断面図である。（Ｄ）は、図１５（Ｃ）におけるＣ−Ｃ断面図である。（Ｅ）は、上記他の実施の形態で用いたシャワヘッドの基部を示す底面図である。
【図１６】（Ａ）は、上記他の実施の形態で用いた一対の爪を示す斜視図である。（Ｂ）は、上記他の実施の形態で用いたＣリングを示す斜視図である。
【図１７】（Ａ）は、上記他の実施の形態で用いた爪を示す縦断面図である。（Ｂ）は、上記他の実施の形態で用いたＣリングを示す平面図である。（Ｃ）は、上記他の実施の形態で用いたＣリングを示す側面図である。
【図１８】（Ａ）は、上記他の実施の形態において、シャワヘッドの基部およびシャワ受けの組付け前の状態を示す構成説明図である。（Ｂ）は、上記他の実施の形態において、シャワヘッドの基部およびシャワ受けの組付け後の状態を示す構成説明図である。
【符号の説明】
【００２５】
１          シャワ受け
３          水栓
４          ホース
５          シャワヘッド
５ａ        基部
６          シャワホルダ
７          挿通穴
８          差し込み保持部
９          取付部
１０        外向きフランジ
１１        シャワ受け回転防止部分
１２        シャワ受け抜止部分
１３        水抜き穴
１４        係合爪
１５        係合孔
１６，１７  セレーション
２２，２３  位置決め手段
２０，２１  位置決め手段
【図１】
2008115686.tif 000003
【図２】
2008115686.tif 000004
【図３】
2008115686.tif 000005
【図４】
2008115686.tif 000006
【図５】
2008115686.tif 000007
【図６】
2008115686.tif 000008
【図７】
2008115686.tif 000009
【図８】
2008115686.tif 000010
【図９】
2008115686.tif 000011
【図１０】
2008115686.tif 000012
【図１１】
2008115686.tif 000013
【図１２】
2008115686.tif 000014
【図１３】
2008115686.tif 000015
【図１４】
2008115686.tif 000016
【図１５】
2008115686.tif 000017
【図１６】
2008115686.tif 000018
【図１７】
2008115686.tif 000019
【図１８】
2008115686.tif 000020